(57)【特許請求の範囲】
【請求項１】
外郭部材の内底部に内部機器空冷用のファンを設け、該ファンに対向した吸気口を外郭部材の底面に設けたファン付き電気機器において、上記外郭部材の床面に平行な底面に内方に凹入した凹部を設け、その凹部に上記底面から該凹部の底部に至る傾斜面を設け、上記吸気口をその傾斜面に設け、上記傾斜面を上記凹部の機器後部側の後辺から前辺に向けて傾斜するように形成し、上記凹部の前面が上記傾斜面の前辺から前記底面に対し直角に形成され、その前面に補助吸気口を設けたことを特徴とするファン付き電気機器。
【請求項２】
上記傾斜面が機器内部のファンの吸気口と平行であることを特徴とする請求項１に記載のファン付き電気機器。
【発明の詳細な説明】
【０００１】
【発明の属する技術分野】
この発明は、ファン付き電気機器に関し、特にその吸気口の構造に関するものである。
【０００２】
【従来の技術】
家電製品等の電気機器においては、内部に設けたIGBT、ダイオードブリッジ等の発熱性部品又はその近辺の部品の温度上昇を抑制するために、空冷用のファンを機器内部に設けることが従来から行われている。このような電気機器においては、上記ファンに対向した格子窓状の吸気口が設けられるが、その吸気口の位置は、ファンの実装位置に接近して設ける必要があること、機器の後部に設けることが一般的である排気口から離れた位置に設ける必要があること等の制限を受けるために、機器の外郭部材底面の前部に選定される場合が多い。
【０００３】
【発明が解決しようとする課題】
外郭部材の底面前部に設けられる従来の吸気口は、機器が設置される床面に平行な底面に設けられるものであるため、開口面積が一定である条件では、それ以上吸気効率を向上させるには一定の限度があった。
そこで、この発明は、床面と平行な底面に設けられた吸気口の吸気効率を向上させることを課題とする。
【０００４】
【課題を解決するための手段】
上記の課題を解決するために、この発明は、外郭部材の内底部に内部機器空冷用のファンを設け、該ファンに対向した吸気口を外郭部材の底面に設けたファン付き電気機器において、上記外郭部材の床面に平行な底面に内方に凹入した凹部を設け、その凹部に上記底面から該凹部の底部に至る傾斜面を設け、上記吸気口をその傾斜面に設けた構成を採用した。
【０００５】
上記の構成によると、床面に対する投影面積が同一であることを前提にすると、従来の場合に比べて、吸気口の開口面積がそれを設けた傾斜面の傾斜角度に応じて増大するため、吸気効率が向上する。
【０００６】
上記傾斜面を上記凹部の機器後部側の後辺から前辺に向けて傾斜するように形成した構成、即ち、その傾斜面が凹部の傾斜した後壁をなし、その後壁が前方へ傾斜した構成をとることができる。この構成によると、吸気口が機器の前方を向くので、後方に排出される排気を再吸引することがない。
【０００７】
また、上記凹部の前面が上記傾斜面の前辺から前記平行面に対し直角に形成され、その前面に補助吸気口を設けた構成を採ることもできる。この構成によると、補助吸気口の分だけ吸気面積が増えるので、吸気効率が向上する。
【０００８】
さらに、上記傾斜面が機器内部のファンの吸気面と平行である構成をとることができる。これにより、吸気効率の一層の向上をはかることができる。
【０００９】
【発明の実施の形態】
以下、この発明の実施形態を添付図面に基づいて説明する。図１は、ＩＨ型の炊飯ジャーを示しており、ジャー本体１の外郭部材の一部を構成する底部材２の内部に、ＩＨ型コイル３が設けられ、保護枠４を介して炊飯釜５が出し入れ自在に収納される。ジャー本体１の前面に操作パネル６が設けられ、その操作パネル６の内面側に設けられた各種電子部品、特に、IGBT７等の発熱性の電子部品を空冷するためのファン８が底部材２の前部内底面に設置される。
【００１０】
ファン８は、モーター付きの扁平な形状をなし、その回転軸が空冷対象、即ち前記IGBT７の冷却フィン９を向くよう、底部材２の床面に平行な底面１１に対し、前方が高くなるように傾斜角αをもって取付けられる（図２（ａ）参照）。このファン８の吸入側に対面した底部材２の底面１１に吸気口１２が設けられる。
【００１１】
上記の吸気口１２は、図２（ｂ）に示すように、床面１６に平行な底面１１に対する凹部２０の後端辺１３から前端辺１４にわたる範囲の傾斜面に形成される。後端辺１３はジャー本体１の左右方向の直線上に形成されるのに対し、前端辺１４は前方に膨らんだ湾曲状をなす。後端辺１３から前端辺１４にわたる範囲が、前記ファン８の傾斜角αと一致する傾斜面となり、その傾斜面に形成された吸気口１２は底面１１に対し傾斜角αを有する。また、前端辺１４の部分は前記の底面１１に対し直角の壁面となり、その壁面に格子状の補助吸気口１２’が設けられる。従って、吸気口１２と補助吸気口１２’の各開口面積の総和が全開口面積となる。その他、図中１５は支持脚、１６は床面である。
【００１２】
上記構成の吸気口１２の向きは、底面１１に対して傾斜角αを有し、ファン８の吸気方向と一致する。また、底面１１に対する投影面積は従来と同様であるが、実開口面積はその傾斜角αに応じて増大する。また、補助吸気口１２’はその開口面積がそのまま有効な実開口面積となる。このため、従来の場合に比べ、開口面積が増大するので、吸気効率が向上し、発熱性部品及びその近辺の雰囲気の温度上昇を抑制することができる。また、吸気口１２を設けた傾斜面と、補助吸気口１２’を設けた壁面の屈曲部分が、底部材２を補強する機能を発揮する。その他、ジャー本体１の前方から底部材２の下面を見た場合、補助吸気口１２’は見えないので、デザイン的な支障を来たすことがない。
【００１３】
図３は、前記の炊飯ジャ−に関するその他の開示事項であり、底部材２の後部の１コーナ部において、コード１８の引出し口２６を設けるための下穴２１が底面１１と段差部２２にわたり逆Ｌ型に開口される（図３（ｃ）参照）。その開口の大きさは、組立作業時において、コードリール２３から引き出したコード１８の先端のプラグ２４を内方から外方に向け斜めに通過させるに必要十分な大きさである。このように開口することにより、製品を置いた状態でその下穴２１が見える範囲が小さくなるメリットがある。
【００１４】
上記のようにしてプラグ２４を通過させたのちは、コードリール２３の案内用の口金部２５をその下穴２１に合致させて固定する。その口金部２５により、下穴２１の底面１１側の開放部分が閉塞されるとともに、段差部２２の部分に引出し口２６が形成される。また、下穴２１の底面１１側の外側の１辺（実線参照）、又は３辺（２点鎖線の部分追加）に高さ１ｍｍ程度のリブ２７を形成して、使用者がコード１８を引き出す際に、指先が口金部２５に触れることを防止するようにしている。
【００１５】
図４に示した他の開示内容は、前記炊飯ジャーの底部材２に関するものである。底部材２の強度確保のため、従来から底部材２の内周面に立てリブを多数設けることが行なわれているが、その立てリブは樹脂成形の際に、表面にヒケとなって現れ、その外表面の美観を損なう原因となっている。このような問題を解消するため、図４（ａ）（ｂ）に示した底部材２は、上記のような立てリブを省略し、その代わりに底面１１に凹部２８、凸部２９を設けることにより補強するようにしている。また、図４（ｃ）は、底面１１の外周と周壁３１の境界部分に補強リブ３２を設けたものである。
【００１６】
図５（ａ）（ｂ）に示した他の開示内容は、底部材２の後部において、底面１１と周壁３１の境界部分に形成された排気口３３に対向して底面１１の内部に所要の間隔をおいてリブ３４を設けたものである。そのリブ３４は、排気口３３の幅と同等かそれ以上の範囲にわたり設けられる。このリブ３４は、図５（ｂ）に矢印で示すように排気の通路が曲がるため、その部分で排気の熱を放散させる。これにより排気口３３から出る排気の温度を低下させる。また、上記のリブ３４は底部材２を補強するだけでなく、排気口３３から針金などの異物を挿入するなどのいたずらを防止でき、製品の安全性が向上する。
【００１７】
【発明の効果】
以上のように、この発明によると、吸気口の傾斜構造及び補助吸気口により、実開口面積が増大するため、吸気効率が向上する効果がある。また吸気口を設けた傾斜面と、補助吸気口を設けた壁面との屈曲部分により、底部材が補強される等の効果がある。
【図面の簡単な説明】
【図１】実施形態の断面図
【図２】（ａ）同上の一部拡大断面図
（ｂ）（ａ）図の底面図
【図３】（ａ）同上の底面部の斜視図
（ｂ）（ａ）図の一部拡大斜視図
（ｃ）（ａ）図の組立時の一部拡大断面図
【図４】（ａ）同上の底部材の底面図
（ｂ）（ａ）図のｂ−ｂ線の断面図
（ｃ）他の実施形態の（ａ）図のｂ−ｂ線と同じ位置の断面図
【図５】（ａ）同上の底部材の一部拡大斜視図
（ｂ）（ａ）図の一部断面図
【符号の説明】
１  ジャー本体
２  底部材
３  ＩＨ型コイル
４  保護枠
５  炊飯釜
６  操作パネル
７  IGBT
８  ファン
９  冷却フィン
１１  底面
１２  吸気口
１２’  補助吸気口
１３  後端辺
１４  前端辺
１５  支持脚
１６  床面
１８  コード
１９  引出し口
２０  凹部
２１  下穴
２２  段差部
２３  コードリール
２４  プラグ
２５  口金部
２６  引出し口
２７  リブ
２８  凹部
２９  凸部
３１  周壁
３２  補強リブ
３３  排気口
３４  リブ
【図１】
0003657536.tif 000002
【図２】
0003657536.tif 000003
【図３】
0003657536.tif 000004
【図４】
0003657536.tif 000005
【図５】
0003657536.tif 000006